(57)【要約】      （修正有）【課題】無線通信端末が通信相手と通信する際に、無線通信端末のユーザに適切な無線通信端末の向き及び持ち方の少なくともいずれかを提示できる無線通信端末及びプログラムを提供する。【解決手段】プログラムは、アンテナを備える無線通信端末１００を、無線通信端末の機種情報を取得する機種情報取得部、機種情報に対応するアンテナの指向性パターンを取得するパターン取得部、無線通信端末の位置を取得する位置取得部、無線通信端末の向きを取得する向き取得部、無線通信端末の通信相手の位置を示す位置情報を取得する位置情報取得部、無線通信端末の位置及び向き、位置情報並びに指向性パターンに基づいて、推奨する無線通信端末の向き及び持ち方の少なくともいずれかを提示する提示部として機能させる。【選択図】図４
2019075717.tif 000002
【特許請求の範囲】
【請求項１】
アンテナを備える無線通信端末を、
前記無線通信端末の機種情報を取得する機種情報取得部、
前記機種情報に対応する前記アンテナの指向性パターンを取得するパターン取得部、
前記無線通信端末の位置を取得する位置取得部、
前記無線通信端末の向きを取得する向き取得部、
前記無線通信端末の通信相手の位置を示す位置情報を取得する位置情報取得部、及び
前記無線通信端末の位置及び向き、前記位置情報、並びに前記指向性パターンに基づいて、推奨する前記無線通信端末の向き及び持ち方の少なくともいずれかを提示する提示部
として機能させるためのプログラム。
【請求項２】
前記無線通信端末を、
前記機種情報をサーバに送信する機種情報送信部
としてさらに機能させるためのプログラムであって、
前記パターン取得部は、前記機種情報に対応する前記アンテナの前記指向性パターンを前記サーバから受信する、請求項１に記載のプログラム。
【請求項３】
前記パターン取得部は、前記無線通信端末が備える、複数の機種情報に対応する複数の指向性パターンを格納するパターン格納部から、前記機種情報取得部が取得した前記機種情報に対応する前記指向性パターンを読み出す、請求項１に記載のプログラム。
【請求項４】
前記無線通信端末を、
前記通信相手の前記位置情報を受信する位置情報受信部、及び
前記位置情報受信部が受信した前記位置情報を格納する位置情報格納部
としてさらに機能させるためのプログラムであって、
前記位置情報取得部は、前記位置情報格納部から前記位置情報を取得する、請求項１から３のいずれか一項に記載のプログラム。
【請求項５】
前記位置情報受信部は、前記通信相手の前記位置情報を定期的又は不定期に受信する、請求項４に記載のプログラム。
【請求項６】
前記無線通信端末を、
前記無線通信端末が実行しているアプリケーションを特定するアプリ特定部、
としてさらに機能させるためのプログラムであって、
前記提示部は、前記アプリ特定部によって特定されたアプリケーションにさらに基づいて、推奨する前記無線通信端末の向き及び持ち方の少なくともいずれかを提示する、請求項１から５のいずれか一項に記載のプログラム。
【請求項７】
前記無線通信端末を、
前記無線通信端末を使用するユーザのユーザプロファイルを取得するプロファイル取得部
としてさらに機能させるためのプログラムであって、
前記提示部は、前記ユーザプロファイルにさらに基づいて、推奨する前記無線通信端末の向き及び持ち方の少なくともいずれかを提示する、請求項１から６のいずれか一項に記載のプログラム。
【請求項８】
前記ユーザプロファイルは、前記ユーザの性別及び年齢の少なくともいずれかを含む、請求項７に記載のプログラム。
【請求項９】
前記無線通信端末を、
前記無線通信端末にイヤホンが接続されているか否かを判定するイヤホン判定部
としてさらに機能させるためのプログラムであって、
前記提示部は、前記無線通信端末にイヤホンが接続されているか否かにさらに基づいて、推奨する前記無線通信端末の向き及び持ち方の少なくともいずれかを提示する、請求項１から６のいずれか一項に記載のプログラム。
【請求項１０】
前記無線通信端末を、
前記無線通信端末の通信方式を取得する通信方式取得部
としてさらに機能させるためのプログラムであって、
前記提示部は、前記通信方式にさらに基づいて、推奨する前記無線通信端末の向き及び持ち方の少なくともいずれかを提示する、請求項１から９のいずれか一項に記載のプログラム。
【請求項１１】
前記提示部は、前記無線通信端末の位置を基準とした前記通信相手が位置する方向と、前記無線通信端末の向きと、前記指向性パターンとに基づいて、前記通信相手からの電波の受信レベルがより高くなる前記無線通信端末の向き及び持ち方の少なくともいずれかを提示する、請求項１から１０のいずれか一項に記載のプログラム。
【請求項１２】
前記提示部は、前記無線通信端末の位置を基準とした前記通信相手が位置する方向と、前記無線通信端末の向きと、前記指向性パターンとに基づいて、前記無線通信端末からの電波の前記通信相手の受信レベルがより高くなる前記無線通信端末の向き及び持ち方の少なくともいずれかを提示する、請求項１から１１のいずれか一項に記載のプログラム。
【請求項１３】
前記通信相手は、気球、無人航空機、通信衛星、及び成層圏を巡回して地上の無線通信端末に無線通信サービスを提供する成層圏プラットフォームの少なくともいずれかである、請求項１から１２のいずれか一項に記載のプログラム。
【請求項１４】
アンテナを備える無線通信端末であって、
前記無線通信端末の機種情報を取得する機種情報取得部と、
前記機種情報に対応する前記アンテナの指向性パターンを取得するパターン取得部と、
前記無線通信端末の位置を取得する位置取得部と、
前記無線通信端末の向きを取得する向き取得部と、
前記無線通信端末の通信相手の位置を示す位置情報を取得する位置情報取得部と、
前記無線通信端末の位置及び向き、前記指向性パターン、並びに前記位置情報に基づいて、推奨する前記無線通信端末の向き及び持ち方の少なくともいずれかを提示する提示部と
を備える無線通信端末。
【発明の詳細な説明】
【技術分野】
【０００１】
本発明は、無線通信端末及びプログラムに関する。
【背景技術】
【０００２】
移動通信端末が放送波を適切に受信できる方向を特定しやすくする技術が知られていた（例えば、特許文献１、２参照）。
［先行技術文献］
［特許文献］
［特許文献１］特開２０１３−１１０７０２号公報
［特許文献２］特開２０１３−１１０７０３号公報
【発明の概要】
【発明が解決しようとする課題】
【０００３】
無線通信端末が通信相手と通信する際に、無線通信端末のユーザに適切な無線通信端末の向き及び持ち方の少なくともいずれかを提示できることが望ましい。無線通信端末の通信相手としては、基地局、中継局、及び中継無線局等が例示できる。無線通信端末は、地上に位置する通信相手と通信してもよく、上空に位置する通信相手と通信してもよい。上空に位置する通信相手としては、気球、ドローン、成層圏プラットフォーム、及び通信衛星等が例示できる。
【課題を解決するための手段】
【０００４】
本発明の第１の態様によれば、プログラムが提供される。プログラムは、アンテナを備える無線通信端末を、無線通信端末の機種情報を取得する機種情報取得部として機能させてよい。プログラムは、上記無線通信端末を、上記機種情報に対応する上記アンテナの指向性パターンを取得するパターン取得部として機能させてよい。プログラムは、上記無線通信端末を、上記無線通信端末の位置を取得する位置取得部として機能させてよい。プログラムは、上記無線通信端末を、上記無線通信端末の向きを取得する向き取得部として機能させてよい。プログラムは、上記無線通信端末を、上記無線通信端末の通信相手の位置を示す位置情報を取得する位置情報取得部として機能させてよい。プログラムは、上記無線通信端末を、上記無線通信端末の位置及び向き、上記指向性パターン、並びに上記位置情報に基づいて、推奨する上記無線通信端末の向き及び持ち方の少なくともいずれかを提示する提示部として機能させてよい。
【０００５】
上記プログラムは、上記無線通信端末を、上記機種情報をサーバに送信する機種情報送信部としてさらに機能させてよく、上記パターン取得部は、上記機種情報に対応する上記アンテナの上記指向性パターンを上記サーバから受信してよい。上記パターン取得部は、上記無線通信端末が備える複数の機種情報に対応する複数の指向性パターンを格納するパターン格納部から、上記機種情報取得部が取得した上記機種情報に対応する上記指向性パターンを読み出してよい。上記プログラムは、上記無線通信端末を、上記通信相手の上記位置情報を受信する位置情報受信部、及び上記位置情報受信部が受信した上記位置情報を格納する位置情報格納部としてさらに機能させるためのプログラムであってよく、上記位置情報取得部は、上記位置情報格納部から上記位置情報を取得してよい。上記位置情報受信部は、上記通信相手の上記位置情報を定期的又は不定期に受信してよい。
【０００６】
上記プログラムは、上記無線通信端末を、上記無線通信端末が実行しているアプリケーションを特定するアプリ特定部としてさらに機能させてよく、上記提示部は、上記アプリ特定部によって特定されたアプリケーションにさらに基づいて、推奨する上記無線通信端末の向き及び持ち方の少なくともいずれかを提示してよい。上記プログラムは、上記無線通信端末を、上記無線通信端末を使用するユーザのユーザプロファイルを取得するプロファイル取得部としてさらに機能させてよく、上記提示部は、上記ユーザプロファイルにさらに基づいて、推奨する上記無線通信端末の向き及び持ち方の少なくともいずれかを提示してよい。上記ユーザプロファイルは、上記ユーザの性別及び年齢の少なくともいずれかを含んでよい。上記プログラムは、上記無線通信端末を、上記無線通信端末にイヤホンが接続されているか否かを判定するイヤホン判定部としてさらに機能させてよく、上記提示部は、上記無線通信端末にイヤホンが接続されているか否かにさらに基づいて、推奨する上記無線通信端末の向き及び持ち方の少なくともいずれかを提示してよい。上記プログラムは、上記無線通信端末を、上記無線通信端末の通信方式を取得する通信方式取得部としてさらに機能させるためのプログラムであってよく、上記提示部は、上記通信方式にさらに基づいて、推奨する上記無線通信端末の向き及び持ち方の少なくともいずれかを提示してよい。
【０００７】
上記提示部は、上記無線通信端末の位置を基準とした上記通信相手が位置する方向と、上記無線通信端末の向きと、上記指向性パターンとに基づいて、上記通信相手からの電波の受信レベルがより高くなる上記無線通信端末の向き及び持ち方の少なくともいずれかを提示してよい。上記提示部は、上記無線通信端末の位置を基準とした上記通信相手が位置する方向と、上記無線通信端末の向きと、上記指向性パターンとに基づいて、上記無線通信端末からの電波の上記中継局の受信レベルがより高くなる上記無線通信端末の向き及び持ち方の少なくともいずれかを提示してよい。上記通信相手は、気球、無人航空機、通信衛星、及び成層圏を巡回して地上の無線通信端末に無線通信サービスを提供する成層圏プラットフォームの少なくともいずれかであってよい。
【０００８】
本発明の第２の態様によれば、アンテナを備える無線通信端末が提供される。無線通信端末は、無線通信端末の機種情報を取得する機種情報取得部を備えてよい。無線通信端末は、上記機種情報に対応する上記アンテナの指向性パターンを取得するパターン取得部を備えてよい。無線通信端末は、無線通信端末の位置を取得する位置取得部を備えてよい。無線通信端末は、無線通信端末の向きを取得する向き取得部を備えてよい。無線通信端末は、無線通信端末の通信相手の位置を示す位置情報を取得する位置情報取得部を備えてよい。無線通信端末は、無線通信端末の位置及び向き、上記指向性パターン、並びに上記位置情報に基づいて、推奨する上記無線通信端末の向き及び持ち方の少なくともいずれかを提示する提示部を備えてよい。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】無線通信端末１００及び飛行体２１０の一例を概略的に示す。
【図２】無線通信端末１００の通信環境の一例を概略的に示す。
【図３】無線通信端末１００のアンテナ１０２のアンテナ利得の一例を概略的に示す。
【図４】無線通信端末１００の機能構成の一例を概略的に示す。
【図５】ある機種の無線通信端末１００のアンテナ１０２の指向性パターンの例を概略的に示す。
【図６】ある機種の無線通信端末１００のアンテナ１０２の指向性パターンの例を概略的に示す。
【図７】ある機種の無線通信端末１００のアンテナ１０２の指向性パターンの例を概略的に示す。
【図８】持ち方データ格納部１１４が格納する持ち方データの一例を概略的に示す。
【図９】持ち方データ格納部１１４が格納する持ち方データの一例を概略的に示す。
【図１０】管理サーバ４００の機能構成の一例を概略的に示す。
【図１１】無線通信端末１００として機能するコンピュータ９００のハードウエア構成の一例を概略的に示す。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、無線通信端末１００及び飛行体２１０の一例を概略的に示す。無線通信端末１００は、例えば、スマートフォン等の携帯電話である。無線通信端末１００は、タブレット端末及びノートＰＣ（Ｐｅｒｓｏｎａｌ  Ｃｏｍｐｕｔｅｒ）等であってもよい。
【００１３】
飛行体２１０は、無線通信端末１００の通信相手の一例である。飛行体２１０は、上空に位置して、無線通信端末１００との間で各種情報を送受信してよい。飛行体２１０は、例えば、いわゆる基地局、中継局、及び中継無線局等として機能してよい。
【００１４】
飛行体２１０は、例えば、無線通信端末１００と、地上のコアネットワークとの通信を中継することによって、無線通信端末１００に無線通信サービスを提供する。飛行体２１０は、例えば、通信衛星を介して地上のコアネットワークと通信する。また、飛行体２１０は、例えば、地上の各地に配置された地上ゲートウェイのうち、カバーエリア２１２内の地上ゲートウェイを介してコアネットワークと通信する。
【００１５】
無線通信端末１００が備えるアンテナは、無線通信端末１００の機種によって異なる指向性を有する。アンテナの指向性は、アンテナの形状及び構造、無線通信端末１００におけるアンテナの位置、及び無線通信端末１００の形状等によって変わり得る。アンテナの指向性のパターンを、指向性パターンと記載する場合がある。
【００１６】
無線通信端末１００と飛行体２１０とが通信をする場合、無線通信端末１００と飛行体２１０との位置関係と、無線通信端末１００のアンテナの指向性パターンとが適切に対応するような向き、持ち方とすることが望ましい。これにより、飛行体２１０から放射される電波の無線通信端末１００による受信感度を向上させることができ、通信品質を向上させることができる。特に、カバーエリア２１２の外延側に位置する無線通信端末１００は、カバーエリア２１２の中心側に位置する無線通信端末１００と比較して飛行体２１０から放射される電波の受信感度が低いので、その効果はより顕著となり得る。
【００１７】
無線通信端末１００は、機種に応じて指向性パターンが異なるので、機種によって推奨される向き・持ち方は異なる。本実施形態に係る無線通信端末１００は、無線通信端末１００の機種情報に対応するアンテナの指向性パターンと、無線通信端末１００の位置及び向きと、無線通信端末１００と飛行体２１０との位置関係とに基づいて、推奨する無線通信端末１００の向き及び持ち方の少なくともいずれかを、無線通信端末１００のユーザに提示する。これにより、無線通信端末１００の機種及びそのときの状況に応じた、飛行体２１０から放射される電波の受信感度を高める上で適切な向き及び持ち方の少なくともいずれかをユーザに提示することができる。
【００１８】
図２は、無線通信端末１００の通信環境の一例を概略的に示す。無線通信端末１００が備えるアンテナ１０２は、例えば、無線通信端末１００に内蔵されたアンテナである。アンテナ１０２は、無線通信端末１００の外部に露出したアンテナであってもよい。アンテナ１０２は、例えば、無指向性アンテナである。アンテナ１０２は、指向性アンテナであってもよい。アンテナ１０２は、シングルアンテナであってよく、マルチアンテナであってもよい。
【００１９】
無線通信端末１００は、アンテナ１０２を用いて飛行体２１０と無線通信する。また、無線通信端末１００は、アンテナ１０２を用いて無線基地局２２０と無線通信してもよい。無線基地局２２０も無線通信端末１００の通信相手の一例であってよい。
【００２０】
無線通信端末１００は、任意の通信規格を用いてよい。例えば、無線通信端末１００は、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）及びＰＤＣ（Ｐｅｒｓｏｎａｌ  Ｄｉｇｉｔａｌ  Ｃｅｌｌｕｌａｒ）等の２Ｇ（２ｎｄ  Ｇｅｎｅｒａｔｉｏｎ）通信規格、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）及びＣＤＭＡ２０００（Ｃｏｄｅ  Ｄｉｖｉｓｉｏｎ  Ｍｕｌｔｉｐｌｅ  Ａｃｃｅｓｓ  ２０００）等の３Ｇ（３ｒｄ  Ｇｅｎｅｒａｔｉｏｎ）通信規格、ＬＴＥ（Ｌｏｎｇ  Ｔｅｒｍ  Ｅｖｏｌｕｔｉｏｎ）等の３．９Ｇ通信規格、Ａｄｖａｎｃｅｄ  ＬＴＥ等の４Ｇ通信規格、及び４Ｇ通信規格以降の通信規格を用いて、飛行体２１０及び無線基地局２２０と無線通信する。
【００２１】
無線通信端末１００は、任意の通信方式を用いてよい。無線通信端末１００が用いる通信方式としては、シングルアンテナによって通信する通信方式と、マルチアンテナによって通信する通信方式とを例示できる。マルチアンテナによって通信する通信方式としては、複数のアンテナを切り替えて使用する通信方式と、複数のアンテナを同時に使用する通信方式とを例示できる。
【００２２】
無線通信端末１００は、飛行体２１０又は無線基地局２２０を介して、ネットワーク１０にアクセスする。ネットワーク１０は、例えば、電話網及びインターネットを含む。ネットワーク１０は、コアネットワークを含んでよい。
【００２３】
無線通信端末１００は、ネットワーク１０に接続された管理サーバ４００と通信してよい。例えば、無線通信端末１００は、管理サーバ４００から、推奨する無線通信端末１００の向き及び持ち方の少なくともいずれかを提示する処理を実行する提示アプリケーションを受信する。提示アプリケーションは、プログラムの一例であってよい。
【００２４】
無線通信端末１００は、機種情報を管理サーバ４００に送信して、機種情報に対応する指向性パターンを管理サーバ４００から受信してよい。また、無線通信端末１００は、無線通信端末１００の持ち方を示す持ち方データを管理サーバ４００から受信してもよい。
【００２５】
無線通信端末１００は、複数の場所における飛行体２１０からの電波の受信状況を示す受信状況データを管理サーバ４００に送信してよい。例えば、無線通信端末１００は、複数の場所のそれぞれについて、その場所の位置情報と、その場所で測定した飛行体２１０からの電波の受信強度と、無線通信端末１００の向きとを含む受信状況データを管理サーバ４００に送信する。受信状況データは、無線通信端末１００の機種情報をさらに含んでよい。また、受信状況データは、無線通信端末１００が受信強度を測定したときのユーザ３００による無線通信端末１００の持ち方をさらに含んでもよい。また、受信状況データは、無線通信端末１００と飛行体２１０との相対的な位置関係をさらに含んでもよい。
【００２６】
管理サーバ４００は、無線通信端末１００から受信した受信状況データを用いて学習を実行してもよい。例えば、管理サーバ４００は、機械学習により、無線通信端末１００の機種毎に、複数の場所における無線通信端末１００の飛行体２１０からの電波の受信感度が最も高くなる向き及び持ち方の少なくともいずれかを導出する。また、例えば、管理サーバ４００は、機械学習により、無線通信端末１００の機種毎に、無線通信端末１００と飛行体２１０との相対的な位置関係毎に、無線通信端末１００の飛行体２１０からの電波の受信強度が最も高くなる向き及び持ち方の少なくともいずれかを導出する。管理サーバ４００は、学習の結果を保持する。管理サーバ４００は、学習の結果を提示アプリケーションに反映してもよい。これにより、提示アプリケーションによって提示される、推奨する無線通信端末１００の向き及び持ち方によって実現される、無線通信端末１００と飛行体２１０との通信品質を向上させることができる。
【００２７】
図３は、無線通信端末１００のアンテナ１０２のアンテナ利得の一例を概略的に示す。アンテナ利得３２及びアンテナ利得３４は、無線通信端末１００のユーザ３００が、無線通信端末１００を耳にあてたまま３６０度回転したときのアンテナ利得の一例を示す。
【００２８】
アンテナ利得３２は、第１の機種の無線通信端末１００についてのアンテナ利得を表し、アンテナ利得３４は、第１の機種とは異なる第２の機種の無線通信端末１００についてのアンテナ利得を表す。ここでは、４５°の方向に飛行体２１０が位置する場合に測定されたアンテナ利得を例示する。図３に示すように、無線通信端末１００の機種によって、アンテナ利得は異なる。
【００２９】
図４は、無線通信端末１００の機能構成の一例を概略的に示す。無線通信端末１００は、アンテナ１０２、ディスプレイ１０４、スピーカ１０５、マイク１０６、バイブレータ１０７、発光部１０８、パターン格納部１１２、持ち方データ格納部１１４、位置情報格納部１１６、位置情報受信部１１７、位置検出部１１８、向き検出部１２０、無線通信部１２２、受信レベル取得部１２４、送信レベル取得部１２６、受信レベル測定部１２８、機種情報取得部１３２、パターン取得部１３４、機種情報送信部１３６、位置情報取得部１４２、位置取得部１４４、向き取得部１４６、方向導出部１４８、提示部１５０、アプリ特定部１６２、プロファイル取得部１６４、イヤホン判定部１６６、及び通信方式取得部１６８を備える。無線通信端末１００がこれらのすべての構成を備えることは必須とは限らない。
【００３０】
位置情報受信部１１７、機種情報取得部１３２、パターン取得部１３４、機種情報送信部１３６、位置情報取得部１４２、位置取得部１４４、方向導出部１４８、提示部１５０、アプリ特定部１６２、プロファイル取得部１６４、イヤホン判定部１６６、及び通信方式取得部１６８は、提示アプリケーションが無線通信端末１００にインストールされることによって、無線通信端末１００に実装されてよい。提示アプリケーションによって実装される構成は、これらの全てではなく、一部であってもよい。
【００３１】
パターン格納部１１２は、アンテナ１０２の指向性パターンを格納する。パターン格納部１１２は、複数の機種情報に対応する複数の指向性パターンを格納してよい。パターン格納部１１２は、複数の機種情報のそれぞれについて、アップリンクにおける指向性パターンと、ダウンリンクにおける指向性パターンとを格納してもよい。
【００３２】
また、パターン格納部１１２は、無線通信端末１００の通信方式毎の指向性パターンを格納してもよい。例えば、パターン格納部１１２は、シングルアンテナによって通信する通信方式に対応する指向性パターンと、マルチアンテナによって通信する通信方式に対応する指向性パターンとを格納する。パターン格納部１１２は、複数のアンテナを切り替えて使用する通信方式に対応する指向性パターンと、複数のアンテナを同時に使用する通信方式に対応する指向性パターンとを格納してもよい。
【００３３】
パターン格納部１１２は、複数の機種情報のそれぞれについて、複数の通信方式に対応する指向性パターンを格納してもよい。例えば、パターン格納部１１２は、マルチアンテナを備える無線通信端末１００の機種情報について、複数のアンテナを切り替えて使用する通信方式に対応する指向性パターンと、複数のアンテナを同時に使用する通信方式に対応する指向性パターンとを格納する。
【００３４】
例えば、パターン格納部１１２は、無線通信端末１００が提示アプリケーションをインストールするときに、提示アプリケーションに含まれる複数の指向性パターンを格納する。また、例えば、パターン格納部１１２は、無線通信端末１００が提示アプリケーションをインストールするときに、提示アプリケーションとともに管理サーバ４００から受信した複数の指向性パターンを格納してもよい。また、パターン格納部１１２は、後述する機種情報送信部１３６が、管理サーバ４００に対して機種情報を送信し、管理サーバ４００から受信した、当該機種情報に対応する指向性パターンを格納してもよい。
【００３５】
指向性パターンには、複数の種類があってよい。例えば、指向性パターンは、無線通信端末１００が把持されていない状態の指向性パターン、右手で把持されている状態の指向性パターン、及び左手で把持されている状態の指向性パターンを含む。また、指向性パターンは、例えば、右手による持ち方毎の指向性パターン、及び左手による持ち方毎の指向性パターンを含む。持ち方の違いは、持つ位置及び持つ手の形等の違いである。持つ位置としては、無線通信端末１００の上側、無線通信端末１００の中心、及び無線通信端末１００の下側等が例示できる。持つ手の形としては、手全体で握る形、及び５本の指のうちの任意の組み合わせで保持する形等があり、親指及び人差し指でつまむ形、親指、人差し指、及び中指でつまむ形、並びに、親指、人差し指、中指、及び薬指でつまむ形等が例示できる。また、例えば、指向性パターンは、耳元に無線通信端末１００を配置して電話するときの指向性パターン、及びディスプレイ１０４を閲覧しているときの指向性パターンを含む。
【００３６】
パターン格納部１１２は、複数の機種情報に対応する複数のアンテナ構成情報を格納してもよい。アンテナ構成情報は、アンテナの本数、アンテナの形状、及び送信方法等を含んでよい。例えば、アンテナ構成情報は、１アンテナ送信及びダイバーシチ送信等を含む。
【００３７】
持ち方データ格納部１１４は、無線通信端末１００の持ち方を示す持ち方データを格納する。持ち方データは、無線通信端末１００の持ち方を示す静止画像データ、動画像データ、音声データ及びテキストデータなどであってよい。
【００３８】
持ち方データ格納部１１４は、複数の持ち方データを格納してよい。例えば、持ち方データ格納部１１４は、無線通信端末１００が提示アプリケーションをインストールするときに、提示アプリケーションに含まれる複数の持ち方データを格納する。また、例えば、持ち方データ格納部１１４は、無線通信端末１００が提示アプリケーションをインストールするときに、提示アプリケーションとともに管理サーバ４００から受信した複数の持ち方データを格納してもよい。
【００３９】
位置情報格納部１１６は、無線通信端末１００の通信相手の位置を示す位置情報を格納する。例えば、地上に設置された基地局及び静止通信衛星等のように位置が変化しない通信相手の場合、位置情報は、通信相手の絶対位置を示してよい。例えば、気球、無人航空機、移動通信衛星、及び成層圏プラットフォームのように位置が変化する通信相手の場合、位置情報は、通信相手の移動範囲、及び移動範囲の中心を示してよい。例えば、通信相手が決められた範囲内を飛行する場合、通信相手の移動範囲はその決められた範囲を示す。また、例えば、通信相手が決められた経路を飛行する場合、通信相手の移動範囲はその経路を示す。通信相手が、例えば、予め定められたスケジュールで予め定められた経路に沿って移動する場合等、各時刻における通信相手の位置を特定できる場合、位置情報格納部１１６は、その通信相手について、各時刻における位置を示す位置情報を格納してよい。
【００４０】
位置情報は、無線通信端末１００の製造時に位置情報格納部１１６に格納されてよい。また、位置情報は、提示アプリケーションが無線通信端末１００にインストールされるときに、位置情報格納部１１６に格納されてもよい。
【００４１】
位置情報受信部１１７は、外部から位置情報を受信する。位置情報受信部１１７は、例えば、通信相手から定期的又は不定期に当該通信相手の位置情報を受信する。また、位置情報受信部１１７は、例えば、通信相手の位置を管理する装置から定期的又は不定期に当該通信相手の位置情報を受信する。位置情報格納部１１６は、位置情報受信部１１７が受信した位置情報を格納してよい。
【００４２】
位置検出部１１８は、無線通信端末１００の位置を検出する。位置検出部１１８は、任意の衛星測位システムを利用して、無線通信端末１００の位置を検出してよい。例えば、位置検出部１１８は、ＧＰＳ（Ｇｌｏｂａｌ  Ｐｏｓｉｔｉｏｎｎｉｎｇ  Ｓｙｓｔｅｍ）等の汎地球測位航法衛星システム（ＧＮＳＳ）及び準天頂衛星システム等の衛星測位システムを用いて、無線通信端末１００の位置を検出する。なお、位置検出部１１８は、無線通信端末１００が備えるユーザインタフェースを介して入力された位置データに基づいて位置を検出してもよい。位置データは、例えば、住所などの位置を特定可能なデータ及び緯度経度データなどである。無線通信端末１００が備えるユーザインタフェースとは、タッチ入力インタフェース、キー入力インタフェース及びボタン入力インタフェースなどであってよい。
【００４３】
向き検出部１２０は、無線通信端末１００の向きを検出する。無線通信端末１００は、加速度センサ、ジャイロセンサ及び地磁気センサの少なくともいずれかを用いて無線通信端末１００の向きを検出してよい。
【００４４】
無線通信部１２２は、飛行体２１０と無線通信する。無線通信部１２２は、飛行体２１０を介した音声通信及びデータ通信などを実行してよい。また、無線通信部１２２は、無線基地局２２０と無線通信する。無線通信部１２２は、無線基地局２２０を介した音声通信及びデータ通信などを実行してよい。
【００４５】
無線通信部１２２は、受信レベル取得部１２４及び送信レベル取得部１２６を有する。受信レベル取得部１２４は、無線通信端末１００からの電波を飛行体２１０が受信するときの受信レベルを取得する。受信レベル取得部１２４は、飛行体２１０が無線通信端末１００から受信した電波の受信レベルを、飛行体２１０から受信してよい。送信レベル取得部１２６は、無線通信端末１００からの電波の送信レベルを取得する。
【００４６】
受信レベル測定部１２８は、飛行体２１０からの電波の受信レベルを測定する。無線通信部１２２は、受信レベル測定部１２８によって測定された受信レベルを含む受信状況データを管理サーバ４００に送信してよい。受信状況データは、受信レベルを測定したときの無線通信端末１００の位置及び向きを含んでよい。受信状況データは、無線通信端末１００の機種情報を含んでもよい。
【００４７】
機種情報取得部１３２は、無線通信端末１００の機種情報を取得する。機種情報取得部１３２は、例えば、無線通信端末１００が有する記憶部に記憶されている機種情報を読み出すことによって機種情報を取得する。
【００４８】
パターン取得部１３４は、無線通信端末１００の機種情報に対応する指向性パターンを取得する。パターン取得部１３４は、例えば、機種情報取得部１３２が取得した機種情報に対応する指向性パターンをパターン格納部１１２から読み出す。
【００４９】
機種情報送信部１３６は、機種情報取得部１３２が取得した機種情報を送信する。機種情報送信部１３６は、機種情報を管理サーバ４００に送信してよい。パターン取得部１３４は、機種情報送信部１３６が機種情報を管理サーバ４００に送信したことに応じて、管理サーバ４００から送信された当該機種情報に対応する指向性パターンを受信することによって指向性パターンを取得してよい。
【００５０】
位置情報取得部１４２は、位置情報を取得する。位置情報取得部１４２は、位置情報格納部１１６に格納されている位置情報を読み出してよい。また、位置情報取得部１４２は、後述する提示部１５０が推奨する無線通信端末１００の向き及び持ち方の少なくともいずれかを提示するタイミングに、外部から通信相手の位置情報を受信してもよい。例えば、位置情報取得部１４２は、通信相手から、又は、通信相手の位置を管理する装置から、通信相手の位置情報を受信する。
【００５１】
位置取得部１４４は、無線通信端末１００の位置を取得する。位置取得部１４４は、位置検出部１１８によって検出された位置を取得してよい。
【００５２】
向き取得部１４６は、無線通信端末１００の向きを取得する。向き取得部１４６は、向き検出部１２０によって検出された向きを取得してよい。
【００５３】
方向導出部１４８は、位置取得部１４４が取得した無線通信端末１００の位置と、位置情報取得部１４２が取得した特定用情報とに基づいて、無線通信端末１００の位置を基準とした飛行体２１０が位置する方向を導出する。
【００５４】
提示部１５０は、推奨する無線通信端末１００の向き及び持ち方の少なくともいずれかを提示する。提示部１５０は、位置取得部１４４が取得した無線通信端末１００の位置、向き取得部１４６が取得した無線通信端末１００の向き、位置情報取得部１４２が取得した位置情報、及びパターン取得部１３４が取得した指向性パターンに基づいて、推奨する無線通信端末１００の向き及び持ち方の少なくともいずれかを提示してよい。
【００５５】
提示部１５０は、方向導出部１４８によって導出された無線通信端末１００の位置を基準とした飛行体２１０が位置する方向と、向き取得部１４６が取得した無線通信端末１００の向きと、パターン取得部１３４が取得した指向性パターンとに基づいて、飛行体２１０からの電波の受信レベルがより高くなる無線通信端末１００の向き及び持ち方の少なくともいずれかを提示してよい。この場合、パターン取得部１３４は、アップリンクにおける指向性パターンを取得してよい。提示部１５０は、例えば、飛行体２１０からの電波の受信レベルが最大となるような無線通信端末１００の向き及び持ち方の少なくともいずれかを提示する。
【００５６】
提示部１５０は、方向導出部１４８によって導出された無線通信端末１００の位置を基準とした飛行体２１０が位置する方向と、向き取得部１４６が取得した無線通信端末１００の向きと、パターン取得部１３４が取得した、アンテナ１０２による受信の指向性パターン及びアンテナ１０２による送信の指向性パターンの両方とに基づいて、無線通信端末１００からの電波の飛行体２１０の受信レベルがより高くなる無線通信端末１００の向き及び持ち方の少なくともいずれかを提示してよい。この場合、パターン取得部１３４は、ダウンリンクにおける指向性パターンを取得してよい。提示部１５０は、例えば、無線通信端末１００からの電波の飛行体２１０の受信レベルが最大となるような無線通信端末１００の向き及び持ち方の少なくともいずれかを提示する。
【００５７】
提示部１５０は、方向導出部１４８によって導出された無線通信端末１００の位置を基準とした飛行体２１０が位置する方向と、向き取得部１４６が取得した無線通信端末１００の向きと、パターン取得部１３４が取得した、アンテナ１０２による受信の指向性パターン及びアンテナ１０２による送信の指向性パターンの両方とに基づいて、飛行体２１０からの電波の受信レベルがより高くなり、かつ、無線通信端末１００からの電波の飛行体２１０の受信レベルがより高くなる無線通信端末１００の向き及び持ち方の少なくともいずれかを提示してよい。この場合、パターン取得部１３４は、アップリンクとダウンリンクとの区別のない指向性パターンを取得してよく、また、アップリンクにおける指向性パターンと、ダウンリンクにおける指向性パターンとを取得してもよい。提示部１５０は、例えば、飛行体２１０からの電波の受信レベルが最大となり、かつ、無線通信端末１００からの電波の飛行体２１０の受信レベルが最大となるような無線通信端末１００の向き及び持ち方の少なくともいずれかを提示する。
【００５８】
提示部１５０は、ディスプレイ１０４及びスピーカ１０５の少なくともいずれかを介して、推奨する無線通信端末１００の向き及び持ち方の少なくともいずれかを提示してよい。提示部１５０は、持ち方データ格納部１１４が格納する持ち方データをディスプレイ１０４及びスピーカ１０５の少なくともいずれかに出力させることにより、推奨する無線通信端末１００の持ち方を提示してよい。
【００５９】
提示部１５０は、無線通信端末１００の現在の向きからの変位量をディスプレイ１０４及びスピーカ１０５の少なくともいずれかに出力させることにより、推奨する無線通信端末１００の向きを提示してよい。例えば、提示部１５０は、外側に１０度傾けるなど、傾ける方向と傾ける角度とを、テキスト、静止画像、動画像及び音声の少なくともいずれかによって、ディスプレイ１０４及びスピーカ１０５の少なくともいずれかに出力させる。
【００６０】
また、提示部１５０は、推奨する無線通信端末１００の絶対的な向きをディスプレイ１０４及びスピーカ１０５の少なくとも何れかに出力させることにより、推奨する無線通信端末１００の向きを提示してよい。例えば、提示部１５０は、地面に対して垂直な方向から右回転方向に１０度、かつ、外側に２０度など、絶対的な向きを、テキスト、静止画像、動画像及び音声の少なくともいずれかによって、ディスプレイ１０４及びスピーカ１０５の少なくともいずれかに出力させる。
【００６１】
提示部１５０は、無線通信端末１００が備えるユーザインタフェースを介したユーザ３００などからの要求に応じて、推奨する無線通信端末１００の向き及び持ち方の少なくともいずれかを提示してよい。
【００６２】
提示部１５０は、無線通信部１２２が飛行体２１０と無線通信している間に、飛行体２１０からの電波の受信レベルが低下した場合に、警告してよい。提示部１５０は、例えば、バイブレータ１０７を振動させることによって警告する。提示部１５０は、予め定められた振動パターンに従ってバイブレータ１０７を振動させてよい。また、提示部１５０は、例えば、発光部１０８を発光させることによって警告する。提示部１５０は、予め定められた発光パターンに従って発光部１０８を発光させてよい。予め定められた発光パターンは、点滅パターン、発色パターン及び発光強度パターンの少なくともいずれかを含んでよい。発光部１０８は、無線通信端末１００が備えるＬＥＤ及びカメラフラッシュ等であってよい。予め定められた発光パターンは、点滅パターン及び発光強度パターンの少なくともいずれかを含んでよい。
【００６３】
また、提示部１５０は、無線通信部１２２が飛行体２１０と無線通信している間に、飛行体２１０からの電波の受信レベルが低下した場合に、無線通信端末１００の向き及び持ち方の少なくともいずれかを変更することを警告してよい。提示部１５０は、無線通信端末１００の位置を変更することを警告してもよい。提示部１５０は、ディスプレイ１０４及びスピーカ１０５の少なくともいずれかに警告を出力させてよい。例えば、提示部１５０は、飛行体２１０からの電波の受信レベルが低下した場合に、無線通信端末１００の位置、向き及び持ち方の少なくともいずれかを変更することを促す音声メッセージを出力する。無線通信部１２２が飛行体２１０と無線通信している間に飛行体２１０からの電波の受信レベルが低下した場合、例えば、車等の遮蔽物が移動してくることによって、無線通信端末１００の電波の受信状況が変わることなどがその原因として考えられる。その場合、無線通信端末１００を少し移動させたり、向き及び持ち方等を変えたりすることによって、電波の受信状況を改善できる場合がある。
【００６４】
提示部１５０は、推奨する無線通信端末１００の向き及び持ち方の少なくともいずれかに加えて、推奨する無線通信端末１００の位置を提示してよい。例えば、提示部１５０は、建造物のデータを含む地図データを参照して、方向導出部１４８によって導出された無線通信端末１００の位置を基準とした飛行体２１０が位置する方向に、高層ビルなどの遮蔽物が存在する場合に、無線通信端末１００と飛行体２１０との間に遮蔽物が存在しない位置を推奨する無線通信端末１００の位置として提示する。
【００６５】
提示部１５０は、方向導出部１４８によって導出された無線通信端末１００の位置を基準とした飛行体２１０が位置する方向を提示してよい。提示部１５０は、当該方向をディスプレイ１０４にテキスト表示又は画像表示させたり、スピーカ１０５に音声出力させたりしてよい。
【００６６】
また、提示部１５０は、受信レベル測定部１２８が測定した受信レベルを提示してよい。提示部１５０は、受信レベルをディスプレイ１０４及びスピーカ１０５の少なくともいずれかに出力させてよい。提示部１５０は、例えば、数値表現した受信レベルをディスプレイ１０４及びスピーカ１０５の少なくともいずれかに出力させる。また、提示部１５０は、受信レベルの高さに応じた音をスピーカ１０５に出力させてもよい。例えば、提示部１５０は、受信レベルが高くなるにつれて音の出力間隔が長くなり、受信レベルが予め定められた閾値を超えると音の出力が停止するように、スピーカ１０５を制御する。また、提示部１５０は、受信レベルの高さに応じた光を発光部１０８の少なくとも一方から出力させてもよい。また、提示部１５０は、バイブレータ１０７によって、受信レベルの高さに応じた振動を発生させてもよい。
【００６７】
アプリ特定部１６２は、無線通信端末１００が実行しているアプリケーションを特定する。提示部１５０は、アプリ特定部１６２によって特定されたアプリケーションにさらに基づいて、推奨する無線通信端末１００の向き及び持ち方の少なくともいずれかを提示してよい。例えば、提示部１５０は、アプリ特定部１６２によって特定されたアプリケーションによって、ユーザ３００による無線通信端末１００の持ち方を判定する。
【００６８】
具体例として、電話アプリのように無線通信端末１００を耳の近くに配置する可能性が高いアプリの場合は、無線通信端末１００を耳の近くに配置する持ち方と判定され、Ｗｅｂブラウザ、メールアプリ及びゲームアプリのようにディスプレイ１０４を対向させて閲覧する可能性が高いアプリの場合は、ディスプレイ１０４を対向させる持ち方と判定される。提示部１５０は、特定した持ち方のままで、飛行体２１０からの電波の受信感度が向上する無線通信端末１００の向き等を提示してよい。これにより、アプリケーションの使用を継続したままで、受信感度を向上させることができる向きを提示することができる。また、例えば、ユーザ３００がディスプレイ１０４の閲覧を継続したいにもかかわらず、ディスプレイ１０４の閲覧ができなくなるような向き又は持ち方を提示してしまうことを防止できる。
【００６９】
また、具体例として、電話アプリのようにディスプレイ１０４を閲覧せずに使用するアプリの場合は、無線通信端末１００の中心を把持していると判定され、Ｗｅｂブラウザ、メールアプリ及びゲームアプリのようにディスプレイ１０４を対向させて閲覧する可能性が高いアプリの場合は、無線通信端末１００の下側を把持していると判定される。提示部１５０は、このように無線通信端末１００を持つ位置に応じて、推奨する無線通信端末１００の向き及び持ち方の少なくともいずれかを提示してよい。例えば、前者の場合、提示部１５０は、例えば、無線通信端末１００を持つ位置が無線通信端末１００の中心である場合の指向性パターンに基づいて、推奨する無線通信端末１００の向き及び持ち方の少なくともいずれかを提示する。また、例えば、後者の場合、提示部１５０は、無線通信端末１００を持つ位置が無線通信端末１００の下側である場合の指向性パターンに基づいて、推奨する無線通信端末１００の向き及び持ち方の少なくともいずれかを提示する。
【００７０】
プロファイル取得部１６４は、ユーザ３００のユーザプロファイルを取得する。ユーザプロファイルは、ユーザ３００の性別及び年齢の少なくともいずれかを含む。ユーザプロファイルは、ユーザ３００の性別及び年齢の両方を含んでよく、これら以外のものを含んでもよい。例えば、ユーザプロファイルは、ユーザ３００の利き手を含む。
【００７１】
提示部１５０は、プロファイル取得部１６４が取得したユーザプロファイルにさらに基づいて、推奨する無線通信端末１００の向き及び持ち方の少なくともいずれかを提示してよい。例えば、提示部１５０は、プロファイル取得部１６４が取得したユーザプロファイルに基づいて、無線通信端末１００の握り方を推測してよい。
【００７２】
具体的には、年齢及び性別による手の大きさの違いから、無線通信端末１００の握り方を推測する。そして、提示部１５０は、握り方を考慮した、推奨する無線通信端末１００の持ち方を提示してよい。例えば、提示部１５０は、大人の男性に対しては大人の男性用の持ち方データ、大人の女性に対しては大人の女性用の持ち方データ、子供に対しては子供用の持ち方データを用いて、推奨する無線通信端末１００の持ち方を提示する。これにより、例えば、子供にはできない持ち方を子供に推奨したり、大人には不向きな持ち方を大人に推奨したりしてしまうことを防止できる。
【００７３】
また、ユーザ３００の利き手から、無線通信端末１００の握り方を推測してもよい。例えば、ユーザ３００の利き手が右手である場合、無線通信端末１００を右手で把持していると推測し、ユーザ３００の利き手が左手である場合、無線通信端末１００を左手で把持していると推測する。提示部１５０は、右手で把持していると推測した場合、右手で把持されている状態の指向性パターンに基づいて、推奨する無線通信端末１００の向き及び持ち方の少なくともいずれかを提示してよい。また、提示部１５０は、左手で把持していると推測した場合、左手で把持されている状態の指向性パターンに基づいて、推奨する無線通信端末１００の向き及び持ち方の少なくともいずれかを提示してよい。
【００７４】
イヤホン判定部１６６は、無線通信端末１００にイヤホンが接続されているか否かを判定する。イヤホン判定部１６６は、例えば、イヤホンジャックにイヤホンが挿入されているか否かを確認することによって、イヤホンが接続されているか否かを判定してよい。また、イヤホン判定部１６６は、例えば、無線イヤホンと無線通信接続を確立しているか否かを判定することによって、イヤホンが接続されているか否かを判定してよい。イヤホン判定部１６６は、接続されているイヤホンがマイク付イヤホンであるか否かも判定してよい。
【００７５】
提示部１５０は、イヤホン判定部１６６によって判定されたイヤホンが接続されているか否かにさらに基づいて、推奨する無線通信端末１００の向き及び持ち方の少なくともいずれかを提示してよい。例えば、マイク付イヤホンが接続されており、ユーザ３００が電話中である場合、提示部１５０は、無線通信端末１００をユーザ３００から離間させてもよいものとして、推奨する無線通信端末１００の向き及び持ち方を提示する。例えば、提示部１５０は、無線通信端末１００を把持した手を、飛行体２１０の方向に延ばすような持ち方を提示する。これにより、無線通信端末１００をユーザ３００の耳元に配置したり、ディスプレイ１０４が閲覧できる位置に配置したりする必要がない状況において、より受信感度を向上させる持ち方を提示することができる。
【００７６】
通信方式取得部１６８は、無線通信端末１００の通信方式を取得する。通信方式取得部１６８は、例えば、無線通信端末１００が有する記憶部に記憶されている通信方式を読み出すことによって通信方式を取得する。
【００７７】
提示部１５０は、通信方式取得部１６８が取得した通信方式にさらに基づいて、推奨する無線通信端末１００の向き及び持ち方の少なくともいずれかを提示してよい。例えば、提示部１５０は、無線通信端末１００がシングルアンテナによって通信する場合、シングルアンテナによって通信する通信方式に対応する指向性パターンに基づいて、推奨する無線通信端末１００の向き及び持ち方の少なくともいずれかを提示する。
【００７８】
また、例えば、提示部１５０は、無線通信端末１００がマルチアンテナによって通信する場合、マルチアンテナによって通信する通信方式に対応する指向性パターンに基づいて、推奨する無線通信端末１００の向き及び持ち方の少なくともいずれかを提示する。提示部１５０は、無線通信端末１００がマルチアンテナによって通信し、かつ、複数のアンテナを切り替えて使用する通信方式を用いている場合、複数のアンテナを切り替えて使用する通信方式に対応する指向性パターンに基づいて、推奨する無線通信端末１００の向き及び持ち方の少なくともいずれかを提示してよい。また、提示部１５０は、無線通信端末１００がマルチアンテナによって通信し、かつ、複数のアンテナを同時に使用する通信方式を用いている場合、複数のアンテナを同時に使用する通信方式に対応する指向性パターンに基づいて、推奨する無線通信端末１００の向き及び持ち方の少なくともいずれかを提示してよい。
【００７９】
図５、図６及び図７は、ある機種の無線通信端末１００のアンテナ１０２の指向性パターンの例を概略的に示す。指向性パターン１７２は、無線通信端末１００がユーザ３００によって保持されない、すなわち、人体の影響が無い場合のアンテナ１０２の指向性パターンを示す。指向性パターン１７４は、ユーザ３００が無線通信端末１００を右手で保持した場合のアンテナ１０２の指向性パターンを示す。指向性パターン１７６は、ユーザ３００が無線通信端末１００を左手で保持した場合のアンテナ１０２の指向性パターンを示す。
【００８０】
提示部１５０は、無線通信端末１００がユーザ３００によって保持されていない場合、指向性パターン１７２と、無線通信端末１００の位置及び向きと、特定用情報とに基づいて、推奨する無線通信端末１００の向き及び持ち方の少なくともいずれかを提示する。また、提示部１５０は、ユーザ３００が無線通信端末１００を右手で保持している場合、指向性パターン１７４と、無線通信端末１００の位置及び向きと、特定用情報とに基づいて、推奨する無線通信端末１００の向き及び持ち方の少なくともいずれかを提示する。また、提示部１５０は、ユーザ３００が無線通信端末１００を左手で保持している場合、指向性パターン１７６と、無線通信端末１００の位置及び向きと、特定用情報とに基づいて、推奨する無線通信端末１００の向き及び持ち方の少なくともいずれかを提示する。
【００８１】
ユーザ３００が無線通信端末１００を保持しているか否かと、保持している場合に右手で保持しているのか左手で保持しているのかは、接触センサ及び圧力センサなどによって判断されてよい。例えば、無線通信端末１００は、無線通信端末１００の側部に配置された接触センサ又は圧力センサの出力によって、無線通信端末１００が右手で保持されているか、左手で保持されているか、及び保持されていないかを判断する。無線通信端末１００は、これらを判断できる手法であれば、他の手法を用いてもよい。例えば、無線通信端末１００は、加速度センサ、ジャイロセンサ及び地磁気センサの少なくともいずれかの出力値を分析することによって、無線通信端末１００が右手で保持されているか、左手で保持されているか、及び保持されていないかを判断する。
【００８２】
図８及び図９は、持ち方データ格納部１１４が格納する持ち方データの例を概略的に示す。図８は、筐体の下部にアンテナ１０２を有する機種用の持ち方データ１８２を示す。図８に示す持ち方データ１８２は、筐体下部のアンテナ１０２から離間した筐体上部を把持し、かつ、無線通信端末１００を保持する手がアンテナ１０２を覆わないような持ち方を示す画像データである。
【００８３】
図９は、筐体の上部にアンテナ１０２を有する機種用の持ち方データ１８４を示す。図９に示す持ち方データ１８４は、筐体上部のアンテナ１０２から離間した筐体下部を把持し、かつ、無線通信端末１００を保持する手がアンテナ１０２を覆わないような持ち方を示す画像データである。
【００８４】
図８及び図９に例示するように持ち方データ格納部１１４は、無線通信端末１００の筐体のうち、アンテナ１０２が配置された位置からより離間した位置を把持することを示す持ち方データを格納してよい。また、持ち方データ格納部１１４は、無線通信端末１００を保持する手がアンテナ１０２を覆わないような持ち方を示す持ち方データを格納してよい。
【００８５】
図１０は、管理サーバ４００の機能構成の一例を概略的に示す。管理サーバ４００は、情報格納部４０２、アプリ送信部４０４、受信状況データ受信部４０６、機種情報受信部４０８、パターン送信部４１０、持ち方データ送信部４１２、機械学習部４１４、端末位置情報受信部４１６、端末向き情報受信部４１８、中継局位置情報受信部４２０、及び推奨情報送信部４２２を備える。なお、管理サーバ４００がこれらの全ての構成を備えることは必須であるとは限らない。
【００８６】
情報格納部４０２は、各種情報を格納する。情報格納部４０２は、例えば、提示アプリケーションを格納する。また、情報格納部４０２は、複数の種類情報に対応する複数の指向性パターンを格納してよい。また、情報格納部４０２は、複数の持ち方データを格納してよい。
【００８７】
アプリ送信部４０４は、情報格納部４０２に格納されている提示アプリケーションを送信する。アプリ送信部４０４は、無線通信端末１００からの要求に応じて提示アプリケーションを送信してよい。アプリ送信部４０４は、アプリ提供サイト等に提示アプリケーションを送信してもよい。
【００８８】
受信状況データ受信部４０６は、無線通信端末１００から受信状況データを受信する。受信状況データ受信部４０６は、受信状況データを情報格納部４０２に格納してよい。
【００８９】
機種情報受信部４０８は、無線通信端末１００から機種情報を受信する。
【００９０】
パターン送信部４１０は、情報格納部４０２に格納されている指向性パターンを送信する。パターン送信部４１０は、例えば、機種情報受信部４０８が受信した機種情報に対応する１又は複数の指向性パターンを無線通信端末１００に送信する。
【００９１】
持ち方データ送信部４１２は、情報格納部４０２に格納されている持ち方データを送信する。持ち方データ送信部４１２は、例えば、機種情報受信部４０８が受信した機種情報に対応する１又は複数の持ち方データを無線通信端末１００に送信する。
【００９２】
機械学習部４１４は、機械学習を実行する。機械学習部４１４は、情報格納部４０２に格納されている受信状況データを用いて機械学習を実行してよい。例えば、機械学習部４１４は、機械学習により、無線通信端末１００の機種毎に、複数の場所における無線通信端末１００の飛行体２１０からの電波の受信感度が最も高くなる向き及び持ち方の少なくともいずれかを導出する。また、例えば、機械学習部４１４は、機械学習により、無線通信端末１００の機種毎に、無線通信端末１００と飛行体２１０との相対的な位置関係毎に、無線通信端末１００の飛行体２１０からの電波の受信強度が最も高くなる向き及び持ち方の少なくともいずれかを導出する。機械学習部４１４は、学習の結果を情報格納部４０２に格納してよい。機械学習部４１４は、学習の結果を情報格納部４０２に格納されている提示アプリケーションに反映してもよい。
【００９３】
端末位置情報受信部４１６は、無線通信端末１００の位置を示す端末位置情報を受信する。端末位置情報受信部４１６は、無線通信端末１００から端末位置情報を受信してよい。
【００９４】
端末向き情報受信部４１８は、無線通信端末１００の向きを示す端末向き情報を受信する。端末向き情報受信部４１８は、無線通信端末１００から端末向き情報を受信してよい。
【００９５】
中継局位置情報受信部４２０は、無線通信端末１００の通信を中継する中継局の位置を示す中継局位置情報を受信する。中継局位置情報受信部４２０は、無線通信端末１００から中継局位置情報を受信してよい。中継局位置情報受信部４２０は、無線通信端末１００の通信相手の位置情報を受信する通信相手位置情報受信部の一例である。
【００９６】
推奨情報送信部４２２は、端末位置情報受信部４１６が受信した端末位置情報、端末向き情報受信部４１８が受信した端末向き情報、中継局位置情報受信部４２０が受信した中継局位置情報、及び機種情報受信部４０８が受信した機種情報に対応する指向性パターンに基づいて、推奨する無線通信端末１００の向き及び持ち方の少なくともいずれかを示す推奨情報を無線通信端末１００に送信する。無線通信端末１００は、推奨情報送信部４２２から受信した推奨情報を用いて、推奨する無線通信端末１００の向き及び持ち方の少なくともいずれかをユーザ３００に対して提示してよい。
【００９７】
図１１は、無線通信端末１００として機能するコンピュータ９００のハードウエア構成の一例を示す。本実施形態に係るコンピュータ９００は、ＳｏＣ９１０、メインメモリ９２２、フラッシュメモリ９２４、アンテナ１０２、アンテナ１０３、ディスプレイ１０４、スピーカ１０５、マイク１０６、バイブレータ１０７、発光部１０８、ＵＳＢポート９５２、及びカードスロット９５４を備える。
【００９８】
ＳｏＣ９１０は、メインメモリ９２２及びフラッシュメモリ９２４に格納された、提示アプリケーション等のプログラムに基づいて動作し、各部の制御を行う。アンテナ１０２は、いわゆるセルラーアンテナである。アンテナ１０３は、いわゆるＷｉＦｉ（登録商標）アンテナである。ＳｏＣ９１０は、アンテナ１０２及びアンテナ１０３を用いて、各種通信機能を実現してよい。ＳｏＣ９１０は、例えば、アンテナ１０２又はアンテナ１０３を用いてＳｏＣ９１０が使用するプログラムを受信して、フラッシュメモリ９２４に格納してよい。
【００９９】
ＳｏＣ９１０は、ディスプレイ１０４を用いて各種表示機能を実現してよい。ＳｏＣ９１０は、スピーカ１０５を用いて各種音声出力機能を実現してよい。ＳｏＣ９１０は、マイク１０６を用いて各種音声入力機能を実現してよい。ＳｏＣ９１０は、バイブレータ１０７を用いて各種バイブ機能を実現してよい。ＳｏＣ９１０は、発光部１０８を用いて各種発光機能を実現してよい。
【０１００】
ＵＳＢポート９５２は、ＵＳＢ接続を実現する。カードスロット９５４は、ＳＤカード等の各種カードとの接続を実現する。ＳｏＣ９１０は、ＵＳＢポート９５２に接続された機器又はメモリと、カードスロット９５４に接続されたカードとから、ＳｏＣ９１０が使用するプログラムを受信して、フラッシュメモリ９２４に格納してよい。
【０１０１】
コンピュータ９００にインストールされ、コンピュータ９００を無線通信端末１００として機能させるプログラムは、ＳｏＣ９１０等に働きかけて、コンピュータ９００を、無線通信端末１００の各部としてそれぞれ機能させてよい。これらのプログラムに記述された情報処理は、コンピュータ９００に読込まれることにより、ソフトウエアと上述した各種のハードウエア資源とが協働した具体的手段である位置情報受信部１１７、機種情報取得部１３２、パターン取得部１３４、機種情報送信部１３６、位置情報取得部１４２、位置取得部１４４、向き取得部１４６、方向導出部１４８、提示部１５０、アプリ特定部１６２、プロファイル取得部１６４、イヤホン判定部１６６、及び通信方式取得部１６８として機能する。そして、これらの具体的手段によって、本実施形態におけるコンピュータ９００の使用目的に応じた情報の演算又は加工を実現することにより、使用目的に応じた特有の無線通信端末１００が構築される。
【０１０２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１０３】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【０１０４】
１０  ネットワーク、３２  アンテナ利得、３４  アンテナ利得、１００  無線通信端末、１０２  アンテナ、１０３  アンテナ、１０４  ディスプレイ、１０５  スピーカ、１０６  マイク、１０７  バイブレータ、１０８  発光部、１１２  パターン格納部、１１４  持ち方データ格納部、１１６  位置情報格納部、１１７  位置情報受信部、１１８  位置検出部、１２０  向き検出部、１２２  無線通信部、１２４  受信レベル取得部、１２６  送信レベル取得部、１２８  受信レベル測定部、１３２  機種情報取得部、１３４  パターン取得部、１３６  機種情報送信部、１４２  位置情報取得部、１４４  位置取得部、１４６  向き取得部、１４８  方向導出部、１５０  提示部、１６２  アプリ特定部、１６４  プロファイル取得部、１６６  イヤホン判定部、１６８  通信方式取得部、１７２  指向性パターン、１７４  指向性パターン、１７６  指向性パターン、１８２  持ち方データ、１８４  持ち方データ、２１０  飛行体、２１２  カバーエリア、２２０  無線基地局、３００  ユーザ、４００  管理サーバ、４０２  情報格納部、４０４  アプリ送信部、４０６  受信状況データ受信部、４０８  機種情報受信部、４１０  パターン送信部、４１２  持ち方データ送信部、４１４  機械学習部、４１６  端末位置情報受信部、４１８  端末向き情報受信部、４２０  中継局位置情報受信部、４２２  推奨情報送信部、９００  コンピュータ、９１０  ＳｏＣ、９２２  メインメモリ、９２４  フラッシュメモリ、９５２  ＵＳＢポート、９５４  カードスロット
【図１】
2019075717.tif 000003
【図２】
2019075717.tif 000004
【図３】
2019075717.tif 000005
【図４】
2019075717.tif 000006
【図５】
2019075717.tif 000007
【図６】
2019075717.tif 000008
【図７】
2019075717.tif 000009
【図８】
2019075717.tif 000010
【図９】
2019075717.tif 000011
【図１０】
2019075717.tif 000012
【図１１】
2019075717.tif 000013